(57)【要約】【課題】機器の制御を確実に、且つ適切に行う。【解決手段】本発明の送受信機（１０１）は、赤外線制御信号を受信する受光部（１）が１個設けられ、赤外線制御信号を送信する発光部（２）が２個設けられ、上記赤外線制御信号は、室内に設置された制御対象の機器を制御するための制御信号であって、当該室内の環境条件に応じて決定された制御信号であり、上記受光部（１）、上記発光部（２）回動可能に設けられている。【選択図】図１
2018182609.tif 000002
【特許請求の範囲】
【請求項１】
赤外線制御信号を受信する受信部が少なくとも１個設けられ、
上記受信部で受信した赤外線制御信号または当該赤外線制御信号によって生成される別の赤外線制御信号を送信する送信部が少なくとも２個設けられた制御機器であって、
上記赤外線制御信号は、室内に設置された制御対象の機器を制御するための制御信号であって、当該室内の環境条件に応じて決定された制御信号であり、
上記受信部および上記送信部の少なくとも１個が回動可能に設けられていることを特徴とする制御機器。
【請求項２】
上記送信部から送信する赤外線制御信号は、機器の操作コマンドを含むリモコン信号、リモコン信号の種類に対応するコマンドを含む機器制御信号の少なくとも一方の信号であることを特徴とする請求項１に記載の制御機器。
【請求項３】
上記送信部から送信する赤外線制御信号は、送信先の機器に応じて、上記リモコン信号と上記機器制御信号の両方、上記リモコン信号のみ、上記機器制御信号のみの何れかに設定されていることを特徴とする請求項２に記載の制御機器。
【請求項４】
同一の上記送信部から上記リモコン信号および上記機器制御信号が送信される場合、上記リモコン信号と上記機器制御信号を送信するタイミングがずれていることを特徴とする請求項２に記載の制御機器。
【請求項５】
上記各送信部から送信されるそれぞれの赤外線制御信号は、それぞれの送信先の機器に対応した赤外線制御信号であることを特徴とする請求項１〜３の何れか１項に記載の制御機器。
【請求項６】
赤外線制御信号の送信先の機器を設定する設定回路を備えていることを特徴とする請求項１〜５の何れか１項に記載の制御機器。
【請求項７】
室内に制御対象の機器が複数設置され、各機器を制御する機器制御システムであって、
室内の環境を測定して得られた情報に基づき、赤外線制御信号を生成する主制御装置と、
主制御装置から送信された赤外線制御信号に基づいて機器を操作するリモコン装置と、を含み、
上記主制御装置およびリモコン装置は、請求項１〜６の何れか１項に記載の制御機器を赤外線制御信号の送受信機器として用いたことを特徴とする機器制御システム。
【発明の詳細な説明】
【技術分野】
【０００１】
本発明は、電子機器をリモートコントロールする制御機器、コントロール装置によって複数の制御機器を制御する機器制御システムに関する。
【背景技術】
【０００２】
オフィスや工場等の室内に設置された複数台の空調機器を、室内の環境条件に応じてＩＲリモコン信号を使用して自動制御するシステムがある。このようなシステムでは、コントロール装置がＩＲ（赤外線）信号を利用して空調機器を制御するリモコン装置と通信し、コントロール装置からのＩＲ信号をリモコン装置が空調機器を制御するためのコマンドとして送信する。ここで、リモコン装置が空調機器へのコマンドを中継する中継器として機能している。このように、中継器を用いて機器を制御する技術は、特許文献１に開示されている。
【先行技術文献】
【特許文献】
【０００３】
【特許文献１】特許第３６５４８２８号公報（２００５年３月１１日登録）
【発明の概要】
【発明が解決しようとする課題】
【０００４】
ところで、特許文献１では、リモコンから空調機器への信号がＩＲであることに起因する問題、すなわち赤外線の性質である直進性および指向性のために、特に、リビングなどの広い部屋では、リモコンの設置場所、設置方向と室内機の設置場所の位置関係によっては、操作できず、リモコンの設置場所が制約されるといった問題を解消するために、リモコンから空調機器への信号を無線電波にしている点が開示されている。
【０００５】
しかしながら、無線電波の場合、周波数によってはトラフィックの問題が発生し、機器を制御するためのリモコン信号として適切に使用することができない虞がある。このため、無線電波をリモコン信号として使用した場合、空調機器の制御が確実に、且つ適切に行えない虞がある。
【０００６】
本発明の一態様は、リモコン信号として、無線電波を用いた場合、ＩＲを用いた場合に起因する問題を解消し、機器の制御を確実に、且つ適切に行える制御機器、および機器制御システムを実現することを目的とする。
【課題を解決するための手段】
【０００７】
上記の課題を解決するために、本発明の一態様に係る制御機器は、赤外線制御信号を受信する受信部が少なくとも１個設けられ、上記受信部で受信した赤外線制御信号または当該赤外線制御信号によって生成される別の赤外線制御信号を送信する送信部が少なくとも２個設けられた制御機器であって、上記赤外線制御信号は、室内に設置された制御対象の機器を制御するための制御信号であって、当該室内の環境条件に応じて決定された制御信号であり、上記受信部、上記送信部の少なくとも１個が回動可能に設けられていることをと特徴としている。
【発明の効果】
【０００８】
本発明の一態様によれば、リモコン信号として、無線電波を用いた場合、ＩＲを用いた場合に起因する問題を解消し、機器の制御を確実に、且つ適切に行えるという効果を奏する。
【図面の簡単な説明】
【０００９】
【図１】本発明の実施形態１に係る制御機器の概略斜視図である。
【図２】図１に示す制御機器を上面から見た平面図である。
【図３】図１に示す制御機器を側面から見た平面図である。
【図４】図１に示す制御機器を用いた制御システムの概略を示すブロック図である。
【図５】図４に示す制御システムの比較例を示す制御システムの概略を示すブロック図である。
【図６】ＩＲリモコン信号のみを用いて機器を制御する例を説明する図である。
【図７】ＩＲリモコン信号と制御信号を併用して機器を制御する例を説明する図である。
【図８】本実施形態１に係る制御システムにおける制御の流れを説明する図である。
【図９】本実施形態１に係る制御システムにおける制御の流れを説明する図である。
【図１０】本実施形態１に係る制御システムにおける制御の流れを説明する図である。
【図１１】本実施形態１に係る制御システムにおける制御の流れを説明する図である。
【図１２】本実施形態１に係る制御システムにおける制御の流れを説明する図である。
【図１３】本実施形態１に係る制御システムにおける制御の流れを説明する図である。
【図１４】本実施形態１に係る制御システムの変形例１を説明する図である。
【図１５】本実施形態１に係る制御システムの変形例２を説明する図である。
【図１６】図１５に示す変形例２で用いるスイッチの一例を示す図である。
【図１７】本実施形態２に係る制御システムにおける制御の流れを説明する図である。
【図１８】本実施形態２に係る制御システムにおける制御の流れを説明する図である。
【図１９】本実施形態２に係る制御システムにおける制御の流れを説明する図である。
【図２０】本実施形態２に係る制御システムにおける制御の流れを説明する図である。
【発明を実施するための形態】
【００１０】
〔実施形態１〕
以下、本発明の実施の形態について、詳細に説明する。
【００１１】
（機器制御システムの概要）
図４は、複数の機器を制御するための機器制御システムの概略構成を示す図である。
【００１２】
機器制御システムは、図４に示すように、室内２００に設置された制御対象である機器Ｄ１〜Ｄ８を制御するために、コントロール装置（主制御装置）Ａ、中継装置Ｂ１，Ｂ２、リモコン装置Ｃ１，Ｃ２を含んでいる。ここで、機器Ｄ１〜Ｄ８は、エアコン、空気清浄機等の空気調和機とする。なお、機器Ｄ１〜Ｄ８は、空気調和機に限定されるものではなく、他の電子機器であってもよい。
【００１３】
ここで、上記機器制御システムでは、コントロール装置Ａ、中継装置Ｂ１，２、リモコン装置Ｃとの間で使用する赤外線制御信号としてのＩＲ（infrared ray：赤外線）リモコン信号（図中の点線矢印）、制御信号（機器制御信号）（図中の実線矢印）を以下のように定義する。ＩＲリモコン信号は、機器を操作するＩＲリモコン装置から送信される信号と同じである。制御信号は、ＩＲリモコン信号の種類に対応するコマンドを含む信号である。このコマンドは、基本的に機器の区別なく、単に「ＯＮ」「ＯＦＦ」「強」「弱」のような情報を含む。また、ＩＲリモコン信号はもちろん、制御信号も赤外線信号である。
【００１４】
コントロール装置Ａは、室内２００内の環境（温度、湿度、空気の汚れ具合等）を測定して得られた結果（受信した各種センサ（図示せず）からの検知信号）に基づき、ＩＲリモコン信号を機器Ｄ３，Ｄ７に送信する一方、制御信号を中継装置Ｂ１，Ｂ２に送信する。なお、ＩＲリモコン信号は言うまでもなく、赤外線信号であるが、図４に示す機器制御システムにおいて使用する制御信号も全て赤外線信号である。
【００１５】
中継装置Ｂ１，Ｂ２は、コントロール装置Ａからの制御信号をリモコン装置Ｃ１，２に中継するとともに、機器Ｄ４，Ｄ８にＩＲリモコン信号を送信するための装置である。中継装置Ｂ１は、コントロール装置Ａからの制御信号を受信し、機器Ｄ４に対してはＩＲリモコン信号を送信する一方、リモコン装置Ｃ１に対しては制御信号を送信する。同様に、中継装置Ｂ２は、コントロール装置Ａからの制御信号を受信し、機器Ｄ８に対してはＩＲリモコン信号を送信する一方、リモコン装置Ｃ２に対しては制御信号を送信する。
【００１６】
リモコン装置Ｃ１，Ｃ２は、中継装置Ｂ１，Ｂ２からの制御信号に基づき、それぞれが制御する機器Ｄ１，Ｄ２および機器Ｄ５，６にＩＲリモコン信号を送信する。なお、図４に示す制御システムでは、中継装置Ｂ１，Ｂ２を含んだ例を示しているが、機器Ｄ１〜Ｄ４の設置位置によっては、中継装置Ｂ１，Ｂ２を含まず、コントロール装置Ａからの制御信号をリモコン装置Ｃ１，Ｃ２が直接受信するようにしてもよい。
【００１７】
なお、本実施形態では、コントロール装置Ａ、中継装置Ｂ１，Ｂ２リモコン装置Ｃ１，２は、赤外線制御信号である制御信号、ＩＲリモコン信号の送受信機能について基本的に同じ構成の送受信機（制御機器）を使用する。なお、送受信機能以外の機能については、各装置において異なるが、本発明の本質ではないため詳細な説明は省略する。
【００１８】
（送受信機）
コントロール装置Ａ、中継装置Ｂ１，Ｂ２リモコン装置Ｃ１，Ｃ２が備える送受信機について以下に説明する。
【００１９】
図１は、送受信機１０１の概略構成斜視図である。図２は、図１に示す送受信機１０１の平面図である。図３は、図１に示す送受信機１０１の側面図である。
【００２０】
送受信機１０１は、図１に示すように、受光部１および発光部（送信部）２が基体３上に配置された構成となっている。なお、受光部１は、赤外線（赤外線制御信号）を受光する受光部であり、基体３上に１個以上設けることが好ましく、また、発光部２は、赤外線（赤外線制御信号）を発光する発光部であり、基体３上に２個以上設けることが好ましい。本実施形態では、受光部１が１個、発光部２が２個を例に説明する。
【００２１】
図２の（ａ）および図３の（ａ）に示すように、受光部１の受信範囲はθ１であり、発光部２の送信範囲はθ２である。
【００２２】
受光部１は、基体３上でＺ軸を中心として回動可能に設けられ、且つＸ軸を中心として回動可能に設けられている。発光部２は、受光部１と同様に、基体３上でＺ軸を中心として回動可能に設けられ、且つＸ軸を中心として回動可能に設けられている。
【００２３】
これにより、受光部１は、図２の（ｂ）に示すように、基体３上でＺ軸を中心に回動し、また、図３の（ｂ）に示すように、基体３上でＸ軸を中心に回動する。発光部２も受光部１と同様に回動する。従って、送受信機１０１は、設置した場所に応じて、受光部１を回動させることで当該受光部１の受信方向（受光面）を最適な向きに設定可能となり、また、発光部２を回動させることで、当該発光部２の送信方向（発光面）を最適な向きに設定可能となる。
【００２４】
受光部１および発光部２は、基体３上で回動可能に設けられているが、電気的に自動回動させるようにしてもよいし、機械的に手動回動させるようにしてもよい。また、ここでは、Ｘ軸、Ｚ軸の２軸で受光部１および発光部２を可動する例について説明しているが、これに限定されるものではなく、Ｙ軸も含めた３軸で受光部１および発光部２を可動するようにしてもよいし、４軸以上の多軸で受光部１および発光部２を可動するようにしてもよい。なお、受光部１、発光部２を回動させるための手段については、どのような手段を用いてもよい。
【００２５】
ここで、コントロール装置Ａに上記構成の送受信機１０１を適用した場合、受光部１は用いず、発光部２を４個用いる。具体的には、中継装置Ｂ１，Ｂ２に制御信号を送信するための発光部２、および機器Ｄ３，Ｄ７にＩＲリモコン信号を送信するための発光部２が必要なので、合計４個の発光部２が必要になる。また、中継装置Ｂ１，Ｂ２とリモコン装置Ｃ１，Ｃ２は、それぞれ受光部１が１個、発光部２が２個なので、図１に示す送受信機１０１をそのまま用いることができる。
【００２６】
（機器制御システムによる効果）
以下、図４に示す機器制御システムによる効果を説明する。
【００２７】
図５は、図４に示す機器制御システムにおいて、全ての制御信号をＩＲリモコン信号にした場合の説明図である。図６は、全ての制御信号をＩＲリモコン信号にした場合の制御信号の流れを示す図である。図７は、ＩＲリモコン信号と制御信号とを併用した場合の制御信号の流れを示す図である。
【００２８】
図５に示す機器制御システムのように、本願で説明した制御信号を用いず、全てＩＲリモコン信号を用いた場合、以下に示す問題が生じる。
（１）機器のレイアウトによっては、信号が干渉する恐れがある。例えば、コントロール装置Ａにおいては、機器Ｄ５向けの信号と中継装置Ｂ１向けの信号が干渉し、中継装置Ｂ１においては、リモコン装置Ｃ１向けと機器Ｄ４向けの信号が干渉する。
（２）中継先の機器と途中の機器の機種が違う場合、全てのリモコン信号（機器毎のリモコン信号）を中継する必要がある。例えば図６に示すように、コントロール装置Ａは、機器Ｄ１〜４全てに対応するＩＲリモコン信号を機器Ｄ３だけでなく、中継装置Ｂ１にも送信する必要がある。中継装置Ｂ１は、コントロール装置Ａから受け取ったＩＲリモコン信号を、機器Ｄ４の他に、リモコン装置Ｃ１にも送信する。さらに、リモコン装置Ｃ１は、受け取ったＩＲリモコン信号を機器Ｄ１，Ｄ２それぞれに振り分けて送信する。
【００２９】
これに対して、図４に示す本願の機器制御システムでは、コントロール装置Ａと中継装置Ｂ１との間、中継装置Ｂ１とリモコン装置Ｃ１との間は、制御信号が通信に使用されている。これにより、以下のような効果を奏する。
（１）機器のＩＲリモコン信号フォーマットの制約に従う必要が無い為、信号のロバスト性を高くすることができる。
（２）必要に応じて、ＩＲリモコン信号と別の制御上の属性を持ったコマンドを送ることが出来る。例えば、制御信号を受け取った中継装置Ｂ１またはリモコン装置Ｃ１は３０秒後にＩＲリモコン信号を機器Ｄ４，機器Ｄ１，機器Ｄ２に送る、というコマンドも設定できる。
（３）中継先の機器Ｄ１，機器Ｄ２と途中の機器Ｄ４の機種が違う場合も、予め、コントロール装置Ａ、中継装置Ｂ１、リモコン装置Ｃ１において操作する機器の種類を認識しておくことにより同一の制御コマンドを中継するだけで操作できる。例えば図７に示すように、機器Ｄ１〜４の全てに風量「強」を指示する場合、まず、コントロール装置Ａは、風量「強」という制御コマンドを制御信号として中継装置Ｂ１に送信する。中継装置Ｂ１は受信した制御信号の制御コマンドから機器Ｄ４に風量「強」を指示するＩＲリモコン信号を送信する一方、リモコン装置Ｃ１には、コントロール装置Ａからの制御信号をそのまま送信する。リモコン装置Ｃ１は受信した制御信号の制御コマンドから機器Ｄ１、機器Ｄ２に風量「強」を指示するＩＲリモコン信号を送信する。
（４）制御信号の内容次第で、特定の機器に対する命令をある程度個別に設定して送ることも出来る。例えば、中継装置Ｂ１、リモコン装置Ｃ１がそれぞれ個別のＩＤを持つものとし、制御信号として、各ＩＤを指定して任意のＩＲリモコン信号を出力するよう指示する内容を含んだ制御信号※としてもよい。
【００３０】
（機器制御システムによる具体的な機器の制御）
図４に示す機器制御システムによる機器の制御の一例について以下に説明する。ここで説明に使用する図８〜図１３は、説明の便宜上、図４に示す機器制御システムの右半分の領域に配置されたコントロール装置Ａ、中継装置Ｂ、リモコン装置Ｃ、機器Ｄ１〜Ｄ４におけるＩＲリモコン信号、制御信号の流れを示す。
【００３１】
ここでは、図８に示すように全ての機器Ｄ１〜Ｄ４が停止している状態から、全ての機器Ｄ１〜Ｄ４を運転状態に制御する場合に、機器Ｄ１〜Ｄ４にＩＲリモコン信号を受信させ、中継装置Ｂ、リモコン装置Ｃに制御信号を受信させる方法につい説明する。
【００３２】
なお、コントロール装置Ａ、中継装置Ｂ、リモコン装置Ｃは、何れも送受信機１０１を備えている。つまり、コントロール装置Ａ、中継装置Ｂ、リモコン装置Ｃは、それぞれ受光部を１個、発光部を２個ずつ持つものとする。他だし、コントロール装置Ａは、受光部は使用しない。ここで、受光部は、自分に向かっている矢印に受光面を向け、発光部は、自分から出て行く矢印に送信面を向ける。
【００３３】
本実施形態では、２個の発光部は、個別に出力内容が設定されるものではなく、同じ信号を送信するものとする。すなわち、ＩＲリモコン信号を送信する場合、２個の発光部から同じＩＲリモコン信号が同時に送信され、制御信号を送信する場合、２個の発光部から同じ制御信号が同時に送信される。
【００３４】
（コントロール装置Ａから機器Ｄ３と中継装置Ｂ）
コントロール装置Ａから機器Ｄ３に向けて運転指示のＩＲリモコン信号を送信する場合、図９に示すように、機器Ｄ３と中継装置Ｂとに同じＩＲリモコン信号が送信される。これは、コントロール装置Ａの２つの発光部は回路的に区別されておらず、両方に同じ信号が送信されるためである。
【００３５】
機器Ｄ３は、ＩＲリモコン信号を受信し、運転を開始する。中継装置Ｂは、ＩＲリモコン信号を受信するものの、運転を開始しない。これは、中継装置Ｂが制御信号以外の信号を受信した場合、受信した信号を無視するように設計されているためである。
【００３６】
次に、コントロール装置Ａは、ＩＲリモコン信号の送信と干渉しないように時間を空けて、中継装置Ｂに向けて制御信号（コマンド：運転）を送信する。この場合、図１０に示すように、機器Ｄ３と中継装置Ｂとに同じ制御信号が送信される。ここで、制御信号は、機器Ｄ３が受信しても無視されるようなコードにしておく。これにより、制御信号は機器Ｄ３に届くものの無視される。
【００３７】
一方、中継装置Ｂは、制御信号を受信し、運転状態となり、以下の２種類の信号を機器Ｄ４とリモコン装置Ｃに出力する。
（１）ＩＲリモコン信号：自分の担当機器である機器Ｄ４の制御のためのリモコン信号
このリモコン信号は、受信した制御信号（運転）の内容に沿った信号となっている。
（２）制御信号：受信した制御信号とまったく同じもの。
【００３８】
（中継装置Ｂから機器Ｄ４とリモコン装置Ｃ）
中継装置Ｂは、まず、ＩＲリモコン信号を機器Ｄ４とリモコン装置Ｃに送信し、次に、少し時間を空けて、制御信号を機器Ｄ４とリモコン装置Ｃに送信する。
【００３９】
中継装置Ｂから機器Ｄ４に向けて運転指示のＩＲリモコン信号を送信する場合、図１１に示すように、機器Ｄ４とリモコン装置Ｃとに同じＩＲリモコン信号が送信される。これは、中継装置Ｂの２つの発光部は回路的に区別されておらず、両方に同じ信号が送信されるためである。
【００４０】
機器Ｄ４は、ＩＲリモコン信号を受信し、運転を開始する。リモコン装置Ｃは、ＩＲリモコン信号を受信するものの、運転を開始しない。これは、リモコン装置Ｃが制御信号以外の信号を受信した場合、受信した信号を無視するように設計されているためである。
【００４１】
次に、中継装置Ｂは、ＩＲリモコン信号の送信と干渉しないように時間を空けて、リモコン装置Ｃに向けて制御信号（コマンド：運転）を送信する。この場合、図１２に示すように、機器Ｄ４とリモコン装置Ｃとに同じ制御信号が送信される。ここで、制御信号は、機器Ｄ４が受信しても無視されるようなコードにしておく。これにより、制御信号は機器Ｄ４に届くものの無視される。
【００４２】
一方、リモコン装置Ｃは、制御信号を受信し、運転状態となり、以下の信号を機器Ｄ１，Ｄ２に出力する。
（１）ＩＲリモコン信号：自分の担当機器である機器Ｄ１，Ｄ２の制御のためのリモコン信号。このリモコン信号は、受信した制御信号（運転）の内容に沿った信号となっている。
【００４３】
（リモコン装置Ｃから機器Ｄ１と機器Ｄ２）
最後に、リモコン装置Ｃの発光部から機器Ｄ１、Ｄ２に向けてＩＲリモコン信号を送信する。リモコン装置Ｃもコントロール装置Ａ、中継装置Ｂと同様に、２つの発光部は回路的に区別されておらず、図１３に示すように、両方に同じ信号が送信される。
【００４４】
従って、機器Ｄ１，Ｄ２は、リモコン装置ＣからのＩＲリモコン信号を受信し、運転を開始する。ここでは、機器Ｄ１、Ｄ２は同じ種類の（同じＩＲリモコン信号で動く）機器とする。なお、機器Ｄ１、Ｄ２が異なる種類のＩＲリモコン信号で動く機器であれば、機器Ｄ１用のＩＲリモコン信号を送信した後、一定時間空けて、機器Ｄ２用のＩＲリモコン信号を送信するようにすればよい。
【００４５】
以上のように、本機器制御システムにおいては、コントロール装置Ａから送信されたＩＲリモコン信号、制御信号によって、機器Ｄ１〜機器Ｄ４が運転状態となる。
【００４６】
なお、リモコン装置Ｃは、システムの最終段に使用する機器であるため、本実施形態では、意図しない相手に中継装置Ｂから受信した制御信号を送信しない構成となっている。つまり、リモコン装置Ｃは、制御信号自体を発光部から送信しない構成、すなわち制御信号を中継しない構成となっている。但し、リモコン装置Ｃが制御信号を中継してもよい。この例については以下の変形例１の後の変形例２において説明する。
【００４７】
（変形例１）
上記説明では、コントロール装置Ａは、機器Ｄ３のみにＩＲリモコン信号を送信する例を示したが、複数の機器（機器Ｄ３とは異なる種類のＩＲリモコン信号で動く機器）にＩＲリモコン信号を送信してもよい。
【００４８】
図１４は、コントロール装置Ａが機器Ｄ３の他に、機器Ｄ５にもＩＲリモコン信号を送信する例を示した図である。
【００４９】
この場合、図９に示すＩＲリモコン信号を送信する処理を、一定時間を空けて２回繰り返せばよい。すなわち、コントロール装置Ａから機器Ｄ３に向けて運転指示の機器Ｄ３用のＩＲリモコン信号を送信する場合、図１４に示すように、機器Ｄ３、機器Ｄ５、中継装置Ｂに同じＩＲリモコン信号が送信される。
【００５０】
機器Ｄ３は、ＩＲリモコン信号を受信し、運転を開始する。機器Ｄ５および中継装置Ｂは、ＩＲリモコン信号を受信するものの、運転を開始しない。
【００５１】
次に、コントロール装置Ａは、機器Ｄ３用のＩＲリモコン信号の送信と干渉しないように時間を空けて、機器Ｄ５用のＩＲリモコン信号を送信する。この場合も、機器Ｄ３用のＩＲリモコン信号を送信したときと同じように、機器Ｄ３、機器Ｄ５、中継装置Ｂに同じＩＲリモコン信号が送信される。
【００５２】
機器Ｄ５は、ＩＲリモコン信号を受信し、運転を開始する。機器Ｄ３および中継装置Ｂは、ＩＲリモコン信号を受信するものの、運転を開始しない。
【００５３】
このようにして、コントロール装置Ａから機器Ｄ３と機器Ｄ５のそれぞれに対応するＩＲリモコン信号が送信される。
【００５４】
その後、コントロール装置Ａは、中継装置Ｂ向けの制御信号を送信する。ここで、制御信号は、機器Ｄ３、機器Ｄ５が受信しても無視されるようなコードにしておく。これにより、制御信号は機器Ｄ３、機器Ｄ５に届くものの無視される。
【００５５】
本変形例の場合、コントロール装置Ａの発光部は基本、機器と中継器の数だけ（図では３個）あるのが望ましいが、１個の発光部でカバー可能なほどレイアウトが近い機器Ｄ・中継装置Ｂがあった場合はその部分をひとつの発光部で操作しても良いことにする。
【００５６】
中継装置Ｂについても、送信先の機器の数だけ発光部が必要であるが、コントロール装置Ａと同様に、１個の発光部でカバー可能なほどレイアウトが近い機器Ｄ・リモコン装置Ｃがあった場合はその部分をひとつの発光部で操作しても良いことにする。
【００５７】
（変形例２）
上記説明では、リモコン装置Ｃは、ＩＲリモコン信号のみを送信する構成として説明したが、中継装置Ｂと同じ構成とし、各機器に制御信号を送信してもよい。
【００５８】
図１５は、中継装置Ｂとリモコン装置Ｃとがハードウェア的に同等である場合の例を示す図である。
【００５９】
この場合、リモコン装置Ｃは、中継装置Ｂと同様に、受信した制御信号をそのまま機器Ｄ１、Ｄ２に出力する。機器Ｄ１、Ｄ２は、元々、自分用のＩＲリモコン信号以外を受信しても無視する仕様となっているため、問題にならない。
【００６０】
これにより、機器制御システムを構築する際に、中継装置Ｂ、リモコン装置Ｃを区別することなく、同じ構成の送受信機１０１を用いることができる。しかも、リモコン装置Ｃを中継装置として使用することが可能となるため、中継装置Ｂの段数を容易に増やすことが可能となり、その結果、機器制御システムの拡張を容易に行うことができるという効果を奏する。
【００６１】
図１６は、中継装置Ｂとリモコン装置Ｃとをハードウェア的に同等（送受信機１０１）にした場合の機能を切り替えるためのディップスイッチ（設定回路）の一例を示す図である。
【００６２】
中継装置Ｂ、リモコン装置Ｃに同じ構成の送受信機１０１を用いた場合、中継装置Ｂとして機能させるか、リモコン装置Ｃとして機能させるかを選択できるように構成する。例えば図１６に示すディップスイッチの終端のスイッチをＯＮにすれば、リモコン装置Ｃとして機能させ、上記終端のスイッチをＯＦＦにすれば、中継装置Ｂとして機能させることができる。
【００６３】
また、図１６に示すディップスイッチによって、コントロール装置Ａ、中継装置Ｂ、リモコン装置Ｃがどの種類の機器Ｄ１〜Ｄ５にＩＲリモコン信号を出力するかを設定するようにしてもよい。すなわち、ディップスイッチは、赤外線制御信号の送信先の機器Ｄを設定する設定回路として機能する。
【００６４】
ここで、コントロール装置Ａの場合、ディップスイッチにより選択された機器（ＯＮに設定した機器）が複数あれば、選択された機器の数だけ、前述したＩＲリモコン信号の送信処理（図９）を繰り返すことになる。
【００６５】
また、図１５に示す機器制御システムにおいて、機器Ｄ３、機器Ｄ４が無い場合、コントロール装置Ａ、中継装置ＢはＩＲリモコン信号を出力しないという設定項目を、上記ディップスイッチに設けてもよい。
【００６６】
以上のように、図１６に示すディップスイッチを送受信機１０１に搭載すれば、送受信機１０１において、赤外線制御信号としてＩＲリモコン信号および制御信号の両方を送信する構成とすることはもとより、赤外線制御信号としてＩＲリモコン信号のみを送信する構成、また、赤外線制御信号として制御信号のみを送信する構成とすることも可能である。従って、送受信機１０１は、コントロール装置Ａ、中継装置Ｂ、リモコン装置Ｃの何れに搭載されても、それぞれの装置が配置された位置や、それぞれの機能に応じて、赤外線制御信号を上記のように切り替えることが可能となるため、当該送受信機１０１を用いた機器制御システムの設計の自由度が増す。
【００６７】
以上のように、本送受信機１０１では、受光部１、発光部２の少なくとも１個が回動可能に設けられていることで、当該送受信機１０１を所定の位置に設置した状態で、赤外線制御信号の受信方向、送信方向の少なくとも一方を自在に変更することが可能となる。例えば受光部１が回動可能であれば、赤外線制御信号の送信元である機器から送信される赤外線制御信号を適切に受信できる向き（赤外線の直進性、指向性を損なわない向き）に受光部１の受光面を設定することができる。また、発光部２が回動可能であれば、赤外線制御信号の送信先である機器が適切に当該赤外線制御信号を受信できる向き（赤外線の直進性、指向性を損なわない向き）に、当該発光部２の発光面を設定することができる。
【００６８】
これにより、制御信号が赤外線であることに起因する問題、すなわち赤外線の性質である直進性および指向性のために、制御機器の設置場所が制約されるといった問題は生じない。しかも、制御信号が赤外線であるため、制御信号に無線電波を用いた場合に生じる問題、すなわちトラフィックによる送受信不良が発生するという問題も生じない。
【００６９】
さらに、発光部２は少なくとも２個設けられているので、発光部２の個数に応じた数の機器に対して、赤外線制御信号を適切に送信することができる。さらに、送信先の機器の配置状態によっては、発光部２の少なくとも１個が回動可能であれば、他の発光部２は回動可能でなくてもよい。
【００７０】
従って、リモコン信号として無線電波を用いた場合に起因する問題およびＩＲを用いた場合に起因する問題を解消し、制御対象の機器の配置に応じて確実に赤外線制御信号の送受行わせることが可能となるため、制御対象となる機器の制御を確実に、且つ適切に行うことができるという効果を奏する。
【００７１】
なお、本実施形態では、各発光部２に個別に出力内容が設定できない場合の例について説明したが、以下の実施形態２では、各発光部に個別に出力内容が設定できる場合の例について説明する。
【００７２】
〔実施形態２〕
本発明の他の実施形態について説明すれば、以下のとおりである。なお、説明の便宜上、前記実施形態にて説明した部材と同じ機能を有する部材については、同じ符号を付記し、その説明を省略する。
【００７３】
図４に示す機器制御システムの制御の他の例について以下に説明する。前記実施形態１と同様に、ここで、図１７〜図２０は、説明の便宜上、図４に示す機器制御システムの右半分の領域に配置されたコントロール装置Ａ、中継装置Ｂ、リモコン装置Ｃ、機器Ｄ１〜Ｄ４におけるＩＲリモコン信号、制御信号の流れについて説明する。
【００７４】
（機器制御システムによる具体的な機器の制御）
ここでは、図１７に示すように全ての機器Ｄ１〜Ｄ４が停止している状態から、全ての機器Ｄ１〜Ｄ４を運転状態に制御する場合に、機器Ｄ１〜Ｄ４にＩＲリモコン信号を受信させ、中継装置Ｂ、リモコン装置Ｃに制御信号を受信させる方法につい説明する。
【００７５】
なお、コントロール装置Ａ、中継装置Ｂ、リモコン装置Ｃは、何れも送受信機１０１を備えている。つまり、コントロール装置Ａ、中継装置Ｂ、リモコン装置Ｃは、それぞれ受光部を１個、発光部を２個ずつ持つものとする。他だし、コントロール装置Ａは、受光部は使用しない。ここで、受光部は、自分に向かっている矢印に受光面を向け、発光部は、自分から出て行く矢印に送信面を向ける。
【００７６】
本実施形態では、コントロール装置Ａの２つの発光部は回路的に区別されている。このため、２個の発光部は、個別に出力内容が設定される。すなわち、２個の発光部の一方はＩＲリモコン信号を送信し、他方は制御信号を送信するようにできる。
【００７７】
（コントロール装置Ａから機器Ｄ３と中継装置Ｂ）
コントロール装置Ａから機器Ｄ３に向けて運転指示のＩＲリモコン信号を送信する場合、図１８に示すように、機器Ｄ３にはＩＲリモコン信号が送信され、中継装置Ｂには制御信号（コマンド：運転）が送信される。
【００７８】
機器Ｄ３は、ＩＲリモコン信号を受信し、運転を開始する。中継装置Ｂは、制御信号を受信し、運転状態となり、以下の２種類の信号を機器Ｄ４とリモコン装置Ｃに出力する。
（１）ＩＲリモコン信号：自分の担当機器である機器Ｄ４の制御のためのリモコン信号
このリモコン信号は、受信した制御信号（運転）の内容に沿った信号となっている。
（２）制御信号：受信した制御信号とまったく同じもの。
【００７９】
（中継装置Ｂから機器Ｄ４とリモコン装置Ｃ）
中継装置Ｂから機器Ｄ４に向けて運転指示のＩＲリモコン信号を送信する場合、図１９に示すように、機器Ｄ４にＩＲリモコン信号が送信され、リモコン装置Ｃに制御信号（コマンド：運転）が送信される。
【００８０】
機器Ｄ４は、ＩＲリモコン信号を受信し、運転を開始する。リモコン装置Ｃは、制御信号を受信し、運転状態となり、以下の信号を機器Ｄ１，Ｄ２に出力する。
（１）ＩＲリモコン信号：自分の担当機器である機器Ｄ１，Ｄ２の制御のためのリモコン信号。このリモコン信号は、受信した制御信号（運転）の内容に沿った信号となっている。
【００８１】
（リモコン装置Ｃから機器Ｄ１と機器Ｄ２）
最後に、リモコン装置Ｃの発光部から機器Ｄ１、Ｄ２に向けてＩＲリモコン信号を送信する。リモコン装置Ｃもコントロール装置Ａ、中継装置Ｂと同様に、２つの発光部は回路的に区別されているため、機器Ｄ１、Ｄ２が異なる種類の（異なるＩＲリモコン信号で動く）機器であれば、一方の発光部から機器Ｄ１用のＩＲリモコン信号を送信し、他方の発光部から機器Ｄ２用のＩＲリモコン信号を送信する。もちろん、機器Ｄ１、Ｄ２が同じ種類の（同じＩＲリモコン信号で動く）機器であれば、２つの発光部ともに同じＩＲリモコン信号を送信するようにすればよい。
【００８２】
以上のように、本機器制御システムにおいては、コントロール装置Ａから送信されたＩＲリモコン信号、制御信号によって、機器Ｄ１〜機器Ｄ４が運転状態となる。このように、本実施形態では、発光部が回路的に区別されているので、ＩＲリモコン信号を送信すべき機器Ｄの数が増えても、発光部が回路的に区別されていない場合よりも、送信回数は増えないので、効率良く、機器の制御を行うことができる。
【００８３】
なお、リモコン装置Ｃは、システムの最終段に使用する機器であるため、本実施形態では、前記実施形態１と同様に、意図しない相手に中継装置Ｂから受信した制御信号を送信しない構成となっている。つまり、リモコン装置Ｃは、制御信号自体を発光部から送信しない構成、すなわち制御信号を中継しない構成となっている。但し、リモコン装置Ｃが制御信号を中継してもよい。
【００８４】
本実施形態では、中継装置Ｂが１段の例の場合を説明したが、中継装置Ｂの段数は特に決まりはなく、制御対象の機器の数や配置状況に応じて適宜増やしてもよい。
【００８５】
また、コントロール装置Ａ、中継装置Ｂ、リモコン装置Ｃは、それぞれ１〜２台以上の機器を動かしてもよい。
【００８６】
さらに、中継装置Ｂ、リモコン装置Ｃを同じ送受信機１０１で実現する場合、中継装置Ｂとして機能させるか、リモコン装置Ｃとして機能させるか、どの発光部からどの種類の機器のＩＲリモコン信号を出力させるかを、前記実施形態１と同様に、ディップスイッチによって設定してもよい。但し、本実施形態の場合、発光部が回路的に分離されているため、大量のスイッチが必要になる。従って、スイッチを設ける代わりに、中継装置Ｂ、リモコン装置Ｃをパソコン等に接続してユーザインターフェースを用いて設定可能にしてもよし、設定ファイルを中継装置Ｂやリモコン装置Ｃに転送して選択できるようにしても良い。
【００８７】
〔実施形態３〕
本発明の他の実施形態について説明すれば、以下のとおりである。なお、説明の便宜上、前記実施形態にて説明した部材と同じ機能を有する部材については、同じ符号を付記し、その説明を省略する。
【００８８】
本実施形態においては、機器制御システムの構成、送受信機１０１の構成について前記実施形態１，２と同じであり、コントロール装置Ａから出力される制御信号に含まれる情報が異なる。
【００８９】
すなわち、制御信号には、さらに以下の情報を含んでも良い。
（１）どの種類の機器に関する制御信号であるか否かを示す情報。この情報を含むことにより、任意の種類の機器だけ操作できるようになる。
（２）どの中継装置Ｂ、リモコン装置Ｃに宛てた制御信号であるか否かを示す情報。この情報を含むことにより、任意の中継装置Ｂ、リモコン装置Ｃが管轄する機器だけ操作できるようになる。
【００９０】
以上のように、実施形態１〜３において説明した送受信機１０１、機器制御システムによれば、送受信機１０１をコントロール装置Ａ、中継装置Ｂ、リモコン装置Ｃの全ての装置に適用することができるため、室内に既に設置された制御対象の機器Ｄの制御は、当該機器Ｄに応じてコントロール装置Ａ、中継装置Ｂ、リモコン装置Ｃそれぞれの受光部１の受光面、発光部２の発光面を設定するだけでよい。
【００９１】
なお、前記実施形態１〜３では、送受信機１０１において受光部１、発光部２の全てが回動可能に設けられた例を示したが、これに限定されるものではなく、受光部１、発光部２の少なくとも１個が回動可能であればよい。これは、送受信機１０１を設置する場所によっては、受光部１，発光部２の全てが回動可能でなくとも、１個、または２個のみを回動可能するだけで、赤外線制御信号の送受が可能にできる場合があるからである。
【００９２】
また、前記実施形態１〜３において、コントロール装置Ａ、中継装置Ｂ、リモコン装置Ｃに用いられる送受信機１０１は、全ての発光部２が基体３に回動自在に設けられた例について説明したが、これに限定されるものではない。例えば、発光部２を、送受信機１０１の基体３から離脱可能に設け、当該送受信機１０１から有線または無線によって赤外線制御信号を送信するようにしてもよい。この場合、送受信機１０１が限られた位置に設置された場合であっても、赤外線制御信号の送信先の機器に対して発光部２を自由に向けることが可能となる。従って、送受信機１０１を用いた機器制御システムにおいて、当該送受信機１０１の設置の自由度が増すという効果を奏する。
【００９３】
〔まとめ〕
本発明の態様１に係る制御機器は、赤外線制御信号（ＩＲリモコン信号、制御信号）を受信する受信部（受光部１）が少なくとも１個設けられ、上記受信部（受光部１）で受信した赤外線制御信号（ＩＲリモコン信号、制御信号）を送信する送信部（発光部２）が少なくとも２個設けられた制御機器（送受信機１０１）であって、上記赤外線制御信号（ＩＲリモコン信号、制御信号）は、室内２００に設置された制御対象の機器Ｄを制御するための制御信号であって、当該室内２００の環境条件に応じて決定された制御信号であり、上記受信部（受光部１）および上記送信部（発光部２）の少なくとも１個が回動可能に設けられていることを特徴としている。
【００９４】
上記構成によれば、受信部、送信部の少なくとも１個が回動可能に設けられていることで、当該制御機器を所定の位置に設置した状態で、赤外線制御信号の受信方向、送信方向の少なくとも一方を自在に変更することが可能となる。例えば受信部が回動可能であれば、赤外線制御信号の送信元である機器から送信される赤外線制御信号を適切に受信できる向き（赤外線の直進性、指向性を損なわない向き）に受信部の受信面を設定することができる。また、送信部が回動可能であれば、赤外線制御信号の送信先である機器が適切に当該赤外線制御信号を受信できる向き（赤外線の直進性、指向性を損なわない向き）に、当該送信部の送信面を設定することができる。
【００９５】
これにより、制御信号が赤外線であることに起因する問題、すなわち赤外線の性質である直進性および指向性のために、制御機器の設置場所が制約されるといった問題は生じない。しかも、制御信号が赤外線であるため、制御信号に無線電波を用いた場合に生じる問題、すなわちトラフィックによる送受信不良が発生するという問題も生じない。
【００９６】
さらに、送信部は少なくとも２個設けられているので、送信部の個数に応じた数の機器に対して、赤外線制御信号を適切に送信することができる。さらに、送信先の機器の配置状態によっては、送信部の少なくとも１個が回動可能であれば、他の送信部は回動可能でなくてもよい。
【００９７】
従って、リモコン信号として無線電波を用いた場合に起因する問題およびＩＲを用いた場合に起因する問題を解消し、制御対象の機器の配置に応じて確実に赤外線制御信号の送受行わせることが可能となるため、制御対象となる機器の制御を確実に、且つ適切に行うことができるという効果を奏する。
【００９８】
本発明の態様２に係る制御機器は、上記態様１において、上記送信部（発光部２）から送信する赤外線制御信号は、機器の操作コマンドを含むリモコン信号（ＩＲリモコン信号）、またはリモコン信号の種類に対応するコマンドを含む機器制御信号（制御信号）であってもよい。
【００９９】
上記構成によれば、送信部から送信する赤外線制御信号が、機器の操作コマンドを含むリモコン信号であることで、制御機器により赤外線制御信号の送信先の機器を直接操作することができる。また、送信部から送信する赤外線制御信号が、リモコン信号の種類に対応するコマンドを含む機器制御信号であることで、送信先の機器を直接操作はできないが、当該送信先の機器をリモコン操作の対象となる機器への中継機として使用することが可能となる。つまり、機器を間接的に操作することが可能となる。
【０１００】
これにより、一つの制御機器において、機器の直接操作と、機器の間接操作とを可能にする。
【０１０１】
本発明の態様３に係る制御機器は、上記態様２において、上記送信部（発光部２）から送信する赤外線制御信号は、送信先の機器Ｄに応じて、上記リモコン信号（ＩＲリモコン信号）と上記機器制御信号（制御信号）の両方、上記リモコン信号（ＩＲリモコン信号）のみ、上記機器制御信号（制御信号）のみの何れかに設定されていてもよい。
【０１０２】
上記構成によれば、送信先の機器に対して、適切な赤外線制御信号を確実に送信することが可能となるため、制御対象となる機器の制御を確実に、且つ適切に行うことができる。
【０１０３】
本発明の態様４に係る制御機器は、上記態様２において、同一の上記送信部（発光部２）から上記リモコン信号（ＩＲリモコン信号）および上記機器制御信号（制御信号）が送信される場合、上記リモコン信号（ＩＲリモコン信号）と上記機器制御信号（制御信号）を送信するタイミングがずれていてもよい。
【０１０４】
上記構成によれば、赤外線制御信号の送信先の機器において、リモコン信号と機器制御信号との干渉を無くすことが可能となる。これによって、制御対象となる機器の制御を確実に、且つ適切に行うことができる。
【０１０５】
本発明の態様５に係る制御機器は、上記態様２において、上記各送信部（発光部２）から送信されるそれぞれの赤外線制御信号は、それぞれの送信先の機器に対応した赤外線制御信号であってもよい。
【０１０６】
上記構成によれば、各送信部から送信されるそれぞれの赤外線制御信号は、それぞれの送信先の機器に対応した赤外線制御信号であることで、制御対象の機器に対して不要な信号を送信することがないため、リモコン信号と機器制御信号との干渉を考慮する必要がない。これにより、制御対象となる機器の制御を確実に、且つ適切に行うことができる。
【０１０７】
本発明の態様６に係る制御機器は、上記態様１〜５の何れか１態様において、赤外線制御信号の送信先の機器を設定する設定回路を備えていてもよい。
【０１０８】
上記構成によれば、赤外線制御信号の送信先の機器を設定する設定回路を備えることで、同一構成の制御機器を、コントロール装置、中継装置、リモコン装置等の機器制御システムに適用することが可能となる。このような制御機器を用いれば、機器制御システムを容易に且つ、安価に構築することが可能となる。
【０１０９】
本発明の態様７に係る制御システムは、室内に制御対象の機器が複数設置され、各機器を制御する制御システムであって、室内の環境を測定して得られた情報に基づき、赤外線制御信号を生成する主制御装置と、主制御装置から送信された赤外線制御信号に基づいて機器を操作するリモコン装置と、を含み、上記主制御装置およびリモコン装置は、上記態様１〜６の何れか１態様に記載の制御機器を赤外線制御信号の送受信機器として用いたことを特徴としている。
【０１１０】
上記構成によれば、上記態様１〜６の何れか１態様に制御機器と同じ効果を奏する。しかも、リモコン装置、主制御装置に同じ制御機器を用いることが可能となるため、機器制御システムの構築に係る費用を低減することができる。
【０１１１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【符号の説明】
【０１１２】
１  受光部（受信部）
２  発光部（送信部）
３  基体
１０１  送受信機（制御機器）
２００  室内
Ａ  コントロール装置（主制御装置）
Ｂ  中継装置
Ｃ  リモコン装置
Ｄ  機器（制御対象の機器）
【図１】
2018182609.tif 000003
【図２】
2018182609.tif 000004
【図３】
2018182609.tif 000005
【図４】
2018182609.tif 000006
【図５】
2018182609.tif 000007
【図６】
2018182609.tif 000008
【図７】
2018182609.tif 000009
【図８】
2018182609.tif 000010
【図９】
2018182609.tif 000011
【図１０】
2018182609.tif 000012
【図１１】
2018182609.tif 000013
【図１２】
2018182609.tif 000014
【図１３】
2018182609.tif 000015
【図１４】
2018182609.tif 000016
【図１５】
2018182609.tif 000017
【図１６】
2018182609.tif 000018
【図１７】
2018182609.tif 000019
【図１８】
2018182609.tif 000020
【図１９】
2018182609.tif 000021
【図２０】
2018182609.tif 000022